(57)【要約】【課題】  骨折部に多方向から刺入するピンを平行に揃えなくとも容易にセットできる創外固定器を提供する。【解決手段】  創外固定器１は、棒状部材２と、その両端に配設する一対の支持体３，４と、一方の支持体３に保持される２本の太径ピン５と他方の支持体４に保持される３本以上の細径ピン６を有する。支持体４は段付丸棒４ｄの先端より分枝する枝線４ｅとこれに装着するピン保持部材４ｆを有する。ピン保持部材４ｆは枝線４ｅ及び細径ピン６を遊挿し、細径ピン６はかしめにより固定する。支持体４は、細径ピン６を保持するピン保持部材４ｆ及び枝線４ｅ、更には段付丸棒４ｄを含む範囲で重合前の柔らかい骨セメント７を包み込み、その後硬化させて全体を一体的に形成する。【選択図】        図３
2007050174.tif 000002
【特許請求の範囲】
【請求項１】
棒状部材の両端に配設する一対の支持体と、この支持体に保持され骨に挿入するピンとを有する創外固定器において、少なくとも一方の前記支持体は、支持体基部先端より分枝して相互の取付角度が変更可能な枝線と、各枝線の任意の位置に装着し孔部に挿入するピンをかしめにより固定するピン保持部材と、骨折部位に刺入し前記ピン保持部材に止着するピン頭部と前記枝線を突出する支持体基部までを一体的に包み込む骨セメントを備えることを特徴とする創外固定器。
【発明の詳細な説明】
【技術分野】
【０００１】
この発明は、骨折部の固定に用いる創外固定器に関する。
【背景技術】
【０００２】
創外固定器は骨折部に沿って配設される棒状部材と、その両端に配設する一対の支持体と、この支持体に対して直角に一端が固定される複数本のピンを有し、ピンの他端を骨折部の骨に刺し込むことにより骨を固定している。従来、この創外固定器を例えば、手関節部骨折に対して適用する場合には、骨折部位をスクリューやワイヤー等にて固定し、関節面の整復を行った後、手関節を跨いで創外固定器を装着していた。
【０００３】
ピンを刺入しておく期間は患部が治癒するのに必要な数ヶ月間にも及ぶこともあるため、創外固定器を手関節部骨折に対して適用する場合には長期間に亘り手関節を動かすことが困難となり手指の運動機能が低下する問題点があった。又従来の創外固定器では直径３ｍｍ程度の太く硬いピンを用いていたため、刺入箇所が限定されると共にドリルガイドで厳密に刺入角度の設定をしないとクランプに保持できない欠点があった。
【０００４】
このため手関節部骨折に対して手関節を跨がずに装着でき、骨折部位をスクリューやワイヤーにて固定しなくとも関節面の再建ができる創外固定器として、例えば下記に示すような技術が提案されていた。
【特許文献１】特開２００２−１７２１１９号公報
【０００５】
この創外固定器は、細径ピンを弾性変形しながら保持するクランプを備えるもので、手関節部における撓骨や尺骨の骨幹端部が粉砕骨折した場合、粉砕した骨幹端部に細径ピンを多方向から刺入して固定し関節面の整復を行っていた。ピンが細径であるため骨片が小さい場合にも刺入可能であり、しかも多方向から打ち込んだ場合にも容易に弾性変形するのでクランプにセットしやすく、ドリルガイドで厳密な角度設定をしなくともクランプの保持ができる利点があった。
【発明の開示】
【発明が解決しようとする課題】
【０００６】
しかし、多方向から刺入した細径ピンをクランプで保持する場合、各細径ピンが平行となるまで弾性変形させる必要があるため、整復した骨折部に無理な曲げ荷重が作用する恐れがあった。又、複数本の細径ピンを同時に弾性変形させながら、その形を保持しつつ一度にクランプで挟持する手技は容易ではなかった。
【０００７】
この発明は、従来の創外固定器が有する上記の問題点を解消すべくなされたものであり、骨折部に多方向から刺入するピンを平行に揃えなくとも容易にセットできる創外固定器を提供することを目的としている。
【課題を解決するための手段】
【０００８】
上記課題を解決するため、この発明の創外固定器は、棒状部材の両端に配設する一対の支持体と、この支持体に保持され骨に挿入するピンとを有する創外固定器において、少なくとも一方の前記支持体は、支持体基部先端より分枝して相互の取付角度が変更可能な枝線と、各枝線の任意の位置に装着し孔部に挿入するピンをかしめにより固定するピン保持部材と、骨折部位に刺入し前記ピン保持部材に止着するピン頭部と前記枝線を突出する支持体基部までを一体的に包み込む骨セメントを備えることを特徴とするものである。
【０００９】
枝線は細径で支持体基部の取付角度が容易に変形し得る軟質な線体を用い、例えば３本の線体夫々にピン保持部材を装着する。ピン保持部材は、例えば下部に穿設するガイド孔に線体を遊挿し、線体の長さの範囲で自由に移動可能とする。このため、線体の先端に折曲部を設けておくとピン保持部材の脱落を防止できる。
【００１０】
骨折部に刺入するピンは、ピン保持部材の孔部に挿入し得る径のものを用いる。ピン保持部材は孔部にピンを挿入した後、治具を用いてかしめるため、かしめ可能な軟質素材を用いる。
【００１１】
骨折部に対し多方向からピンを刺入する際には、各ピンの突出位置にあわせ枝線を曲げながらピン保持部材を移動し、ピンと連結する。その後、重合前の柔らかい骨セメントをピン、ピン保持部材、枝線及び支持体基部まで一体的に包み込む。骨セメントは数分で硬化するが、その間に自重で垂れ下がらないよう枝線の強度を適宜設定する。
【００１２】
棒状部材は伸縮可能で、少なくとも一方の支持体には自在継手により連結していることが望ましい。
【発明の効果】
【００１３】
この発明の創外固定器は、骨折部位に刺入しピン保持部材に止着するピン頭部と枝線を突出する支持体基部までを一体的に骨セメントで包み込む構成であるため、ピンを無理に曲げなくとも容易にセットでき、整復した骨折部に無理な曲げ荷重が作用する恐れがない。枝線の増加が比較的容易であり、ピン本数の増加に対応しやすい。
【発明を実施するための最良の形態】
【００１４】
次にこの発明の実施の形態を添付図面に基づき詳細に説明する。図１はこの発明の創外固定器の平面図、図２は図１のII−II断面を示す断面図である。創外固定器１は、棒状部材２と、その両端に配設する一対の支持体３，４と、一方の支持体３に保持される２本の太径ピン５と他方の支持体４に保持される３本以上の細径ピン６を有する。
【００１５】
支持体３は太径ピン５を保持する上板３ａ、下板３ｂの挟持板及びこれらの締結ネジ３ｃ、下板３ｂの飛出し部３ｄに対向して配設し、棒状部材２の一端に形成するボールジョイント２ａを挟持する押え板３ｅ及びその締結ネジ３ｆを有する。
【００１６】
棒状部材２は、先端にボールジョイント２ａを設け後半に筒体２ｂを形成する後方シャフト２ｃと、この筒体２ｂに移動可能に挿入し他方の支持体４に先端のボールジョイント２ｄで連結する前方シャフト２ｅを有する。筒体２ｂには長孔２ｆを開設し、前方シャフト２ｅに螺着する固定ネジ２ｇをスライド可能に突設する。棒状部材２の全体長さを調整する場合は、固定ネジ２ｇを緩め長孔２ｆに沿って前方シャフト２ｅを移動し所定の位置で締め付ける。
【００１７】
支持体４は、ボールジョイント２ｄを挟持する上板４ａ、下板４ｂの挟持板及びこれらの締結ネジ４ｃ、下板４ｂから突設する段付丸棒４ｄ、この段付丸棒４ｄの先端より分枝する３本の枝線４ｅ、各枝線４ｅに装着するピン保持部材４ｆを有する。
【００１８】
枝線４ｅは細径で段付丸棒４ｄとの取付角度が容易に変形し得る軟質な線体、例えばアルミニウム線を用いる。ピン保持部材４ｆは、下部にガイド孔４ｇ、上部にピン孔４ｈを穿設し、夫々枝線４ｅ又は細径ピン６を遊挿する。
【００１９】
ピン保持部材４ｆは、枝線４ｅの長さの範囲で自由に移動可能であるが、脱落防止のため、枝線４ｅの先端には折曲部４ｉを形成する。ピン孔４ｈに遊挿した細径ピン６はかしめにより固定する。
【００２０】
支持体４は、細径ピン６を保持するピン保持部材４ｆ及び枝線４ｅ、更には段付丸棒４ｄを含む範囲で重合前の柔らかい骨セメント７を包み込み、その後硬化させて全体を一体的に形成する。骨セメント７は所謂レジン創外固定法等で用いるアクリル製樹脂で、硬化時間は３〜５分程度である。
【００２１】
次に手関節部骨折に対しての創外固定器１の使用例を図３に基づき説明する。図３は創外固定器を装着する骨格の平面図である。腕の撓骨７の骨幹端部７ａ及び尺骨８の骨幹端部８ａが粉砕骨折した場合には、粉砕した骨幹端部７ａ，８ａに細径ピン６を多方向から刺入して固定し関節面の整復を行う。細径ピン６は直径略１．６ｍｍ〜２．０ｍｍ、長さ１００ｍｍ〜１５０ｍｍのチタン合金製のものを３〜６本使用する。
【００２２】
一方太径ピン５は撓骨遠位部に図示しないドリルガイドを用いて挿入し支持体３で固定する。細径ピン６は骨片に対しての刺入方向がバラバラとなるので各細径ピン６の突出位置にあわせて枝線４ｅを曲げながらピン保持部材４ｆを移動し、夫々細径ピン６と連結する。
【００２３】
その後、棒状部材２を適宜延伸し手関節部の矯正を行った後骨セメント７を包み込んで固定する。
【産業上の利用可能性】
【００２４】
この発明の創外固定器は手関節部のみならず、広く一般の骨折部位の治療に適用でき、骨セメントで固定するピンは細径ピンでなくとも、又両支持体にも適用可能である。
【図面の簡単な説明】
【００２５】
【図１】創外固定器の平面図である。
【図２】図１のII−II断面を示す断面図である。
【図３】創外固定器を装着する骨格の平面図である。
【符号の説明】
【００２６】
１  創外固定器
２  棒状部材
３  支持体
４  支持体
４ｄ  段付丸棒
４ｅ  枝線
４ｆ  ピン保持部材
４ｇ  ガイド孔
４ｈ  ピン孔
５  太径ピン
６  細径ピン
７  骨セメント
【図１】
2007050174.tif 000003
【図２】
2007050174.tif 000004
【図３】
2007050174.tif 000005